【事件の表示】
　特願２０１１−２０６１８１「サスペンション用基板、サスペンション、ヘッド付サスペンションおよびハードディスクドライブ」拒絶査定不服審判事件〔平成２５年　４月１８日出願公開、特開２０１３−　６９３６６、請求項の数（６）〕について、次のとおり審決する。
【結　論】
　原査定を取り消す。
　本願の発明は、特許すべきものとする。
【理　由】
第１．手続の経緯
　本願は、平成２３年９月２１日の出願であって、平成２７年４月１０日付けで拒絶理由が通知され、平成２７年６月１２日付けで手続補正がなされ、平成２７年７月６日付けで拒絶査定（謄本送達日平成２７年７月１０日）がなされ、これに対して平成２７年９月３０日に拒絶査定不服審判が請求されたものである。
第２．本願発明
　本願の請求項１−６に係る発明は、平成２７年６月１２日付けの手続補正で補正された特許請求の範囲の請求項１−６に記載された事項により特定されるものと認められるところ、本願の請求項１に係る発明（以下「本願発明」という。）は以下のとおりである。
「【請求項１】
　ヘッドスライダが実装されるヘッド部から、外部接続基板が接合されるテール部に延びるサスペンション用基板において、
　絶縁層と、
　前記絶縁層の一方の面に設けられた金属支持層と、
　前記絶縁層の他方の面に設けられた配線層であって、複数の配線と、前記配線の各々に接続され、前記外部接続基板の外部端子に接合可能な接続端子と、を有する前記配線層と、を備え、
　前記金属支持層は、前記テール部に設けられ、前記接続端子を露出させる金属開口部と、前記金属開口部を画定し、前記接続端子の長手方向に直交する一対の金属開口端縁と、を有し、
　前記金属開口端縁の各々の両端部には、凹部が設けられていることを特徴とするサスペンション用基板。」
第３．原査定の理由の概要
　原査定の理由の概要は以下のとおりである。
（進歩性）この出願の下記の請求項に係る発明は，その出願前に日本国内又は外国において，頒布された下記の刊行物に記載された発明又は電気通信回線を通じて公衆に利用可能となった発明に基づいて，その出願前にその発明の属する技術の分野における通常の知識を有する者が容易に発明をすることができたものであるから，特許法第２９条第２項の規定により特許を受けることができない。
　
　　　　　　　　記（引用文献等については引用文献等一覧参照。）
●理由について
・請求項１
・引用文献等：１．，２．
・備考
　文献１はフライングリード部において断線を生じないようにする構造を有するサスペンション回路基板が記載されており（図面参照。），本願は「前記金属開口端縁の各々の両端部には，凹部が設けられている」というのに対し，文献１のものはそのような凹部を有していない点で相違し，その余の点で一致する。
　しかしながら，文献２には，回路付サスペンション基板の端部に金属支持基板のない端子部を形成するものにおいて，端部の金属支持基板について，両端部に凹部をもつ形状を採用することで，屈曲による引き裂きを防止するようにしたことが記載されており（図７），同様の構造である文献１の金属開口端縁の各々の両端部にも，同様に採用し得，同様の効果を得ることができるものであることは明らかである。
・請求項２
・引用文献等：１．，２．
・備考
　文献１の示す構造である（図面参照。）。
　
・請求項４，５，６
・引用文献等：１．，２．
・備考
　文献１のものが前提としている事項である。
　
〈引用文献等一覧〉
（なお，各理由の備考欄において，本欄「１．」，「２．」はそれぞれ「文献１」，「文献２」と表記した。）
１．特開２０１１−１４６６７９号公報
２．特開２００７−１６５４９０号公報
　
（なお、平成２７年６月１２日付けの手続補正により追加された請求項３及びそれを引用する請求項４−６については、原査定の対象としていない。）
第４．当審の判断
１．引用例の記載事項
（１）原査定の拒絶の理由で引用された特開２０１１−１４６６７９号公報（以下「引用例１」という。）には、図面とともに、以下の事項が記載されている（なお、下線は当審において付したものである。）。
（ア）「【０００２】
　従来から、第一絶縁層の上に導体層が形成され、第一絶縁層および導体層の上に第二絶縁層が形成され、導体層の同じ位置において、第一絶縁層および第二絶縁層が開口される開口部が形成されることにより、導体層の表面および裏面が露出する端子部が形成されている配線回路基板が知られている（特許文献１参照）。このうち、導体層の表面および裏面が露出した端子がフライングリードと呼ばれている。そして、
このフライングリード部では、導体層の両面が露出していることから、外部回路基板端子部との超音波接合時において超音波が伝達されやすく、超音波振動による接合に適している。その反面、物理的強度が弱く、導体層に応力が集中して断線が起こりやすいという不具合がある
（イ）「【発明が解決しようとする課題】
【０００５】
　本発明は、従来技術と異なる発想に基づいたものであり、従来と異なる手法で
導体層の断線を防止できるサスペンション回路基板を提供することを目的とする。
（ウ）「【００２０】
  図１４に示すように、本実施の形態のハードディスクドライブ９０は、磁気ディスクＤを回転させるスピンドルモータ９２と、磁気ヘッドサスペンション８０と、磁気ヘッドサスペンション８０を駆動するアクチュエータ９１とを備えている。このうち、
磁気ヘッドサスペンション８０は、磁気ヘッド８１と、サスペンション回路基板１（図５参照）を備えたハードディスク用サスペンションと、外部回路基板２０（図５参照）とを有している。
【００２１】
　図１（ａ）（ｂ）−図４に示すように、
サスペンション回路基板１は、金属支持基板１２と、金属支持基板１２上に配置され、絶縁材料からなる第一絶縁層１１と、第一絶縁層１１上に配置され、配線を構成する導体層１０と、
を備えている
（エ）「【００２５】
　また、図６に示すように、
金属支持基板１２には、配線が延在する方向で第一絶縁開口部１１
Ｏ
と重複する位置に金属支持基板開口部１２
Ｏ
が設けられている。この金属支持基板１２は、枠形状からなり（図１（ｂ）参照）
【００２６】
　なお、上述のように第二絶縁開口部１３Ｏが設けられていることから、導体層１０の表面が露出されることとなる。他方、上述のように
金属支持基板１２に配線が延在する方向で第一絶縁開口部１１
Ｏ
と重複する位置に金属支持基板開口部１２
Ｏ
が設けられていることから、導体層１０の裏面が露出されることとなる
配線を構成する導体層１０のうち、表面と裏面の両方が露出されている部分（図６でＬ１に対応する部分）がフライングリード部を構成している
【００２７】
　フライングリード部では、導体層１０の両面が露出していることから外部回路接続端子部２１との超音波接合時において超音波が伝達されやすくなっている。このため、
フライングリード部は、超音波接合によって外部回路基板２０の接合部２１と接合可能となっている
　ここで、図１、図６及び図１４は、下記のとおりである。
図１
図６
図１４
　したがって、引用例１には次の発明（以下、「引用発明１」という。）が記載されている。
「磁気ヘッド８１と、ハードディスク用サスペンションと、外部回路基板２０とを有する磁気ヘッドサスペンション８０の前記ハードディスク用サスペンションに備えられたサスペンション回路基板１において、
　金属支持基板１２と、
　金属支持基板１２上に配置され、絶縁材料からなる第一絶縁層１１と、
　第一絶縁層１１上に配置され、配線を構成する導体層１０と、を備え、
　金属支持基板１２には、配線が延在する方向で第一絶縁開口部１１Ｏと重複する位置に金属支持基板開口部１２Ｏが設けられており、この金属支持基板１２は、枠形状からなり、金属支持基板１２に配線が延在する方向で第一絶縁開口部１１Ｏと重複する位置に金属支持基板開口部１２Ｏが設けられていることから、導体層１０の裏面が露出されることとなり、前記配線を構成する導体層１０のうち、表面と裏面の両方が露出されている部分がフライングリード部を構成し、フライングリード部は、超音波接合によって外部回路基板２０の接合部２１と接合可能となっていることを特徴とするサスペンション回路基板。」
（２）原査定の拒絶の理由で引用された特開２００７−１６５４９０号公報（以下「引用例２」という。）には、図面とともに、以下の事項が記載されている（なお、下線は当審において付したものである。）。
（ア）「【０００２】
　フレキシブル配線回路基板は、ハードディスクドライブのように配線に屈曲特性が要求される電子機器に用いられている。作業性および接続性を向上させるために、フレキシブル配線回路基板に補強板が積層される。
【０００３】
　しかしながら、このような
補強板付きフレキシブル配線回路基板を繰り返し屈曲させると、フレキシブル配線回路基板の端縁と補強板の端縁との交点を起点としてフレキシブル配線回路基板に引き裂きが発生する場合がある
（イ）「【００２１】
　図２および図３に示すように、
例えばポリイミドからなるベース絶縁層１上に例えば銅からなるストライプ状の複数の配線パターン２が平行に形成されている。配線パターン２を覆うように例えばポリイミドフィルムからなるカバー絶縁層５が形成されている。ベース絶縁層１、配線パターン２およびカバー絶縁層５がフレキシブル配線回路基板１００を構成する
【００２２】
　また、
ベース絶縁層１の裏面の所定の領域に例えば金属板からなる補強板３が形成されている
【００２３】
　図１に示すように、
補強板３の端縁は、両方の側部３０、円弧状部分３１および端部３２を有する
（ウ）「【００５０】
　（４）他の実施の形態
　補強板３の端縁の円弧状部分３１を除く部分の形状は、上記実施の形態の形状に限定されない。すなわち、
補強板３の端縁のうちベース絶縁層１の端縁１０と交差または接する円弧状部分３１以外の部分は、補強板３の端縁に集中する応力を緩和するために任意の形状に形成してもよい。例えば、図７に示すように、補強板３の端縁の端部３２が湾曲した形状を有してもよい
（エ）「【００５６】
　（１）実施例および比較例の補強板付き配線回路基板の作製
　実施例１〜４では、図１に示した補強板付き配線回路基板としてハードディスク用フレキシブル回路基板を作製した。補強板付き配線回路基板の製造方法としては、上記のセミアディティブ法を用いた。ここで、
ハードディスク用フレキシブル回路基板は、例えばハードディスクドライブ装置内に用いられ、磁気ディスクの所望のトラックに磁気ヘッドを位置決めするための板状の支持体である。ハードディスク用フレキシブル回路基板の金属板が補強板に相当する
　また、図７によれば、補強板３の端縁の端部３２の「湾曲した形状」の例として、補強板３の端縁の中央に凹部を設けた形状が認められる。
　ここで、図２、図３及び図７は、下記のとおりである。
図２
図３
図７
　したがって、引用例２には、次の発明（以下、「引用発明２」という。）が記載されている。
「ハードディスクドライブ装置内に用いられ、磁気ディスクの所望のトラックに磁気ヘッドを位置決めするための板状の支持体であるハードディスク用フレキシブル回路基板において、
　ベース絶縁層１と、ベース絶縁層１上に形成された複数の配線パターン２と、配線パターン２を覆うように形成されたカバー絶縁層５と、から構成されるフレキシブル配線回路基板１００と、
　ベース絶縁層１の裏面の所定の領域に形成される金属板からなる補強板３と、を有し、
  補強板３の端縁は、両方の側部３０、円弧状部分３１および端部３２を有し、補強板３の端縁のうちベース絶縁層１の端縁１０と交差または接する円弧状部分３１以外の部分は、補強板３の端縁に集中する応力を緩和するために任意の形状に形成してもよく、補強板３の端縁の端部３２が湾曲した形状（例：補強板３の端縁の中央に凹部を設けた形状）を有することを特徴とする補強板付き配線回路基板。」
２．本願発明と引用発明１の対比
　引用発明１の「サスペンション回路基板」は、図１４も参照すれば、磁気ヘッド８１が設けられた部分から、外部回路基板２０と接続される部分まで延びていると認められるから、前記磁気ヘッド８１が設けられた部分と、外部回路基板２０と接続される部分とは、それぞれ本願発明にいう「ヘッドスライダが実装されるヘッド部」、「外部接続基板が接合されるテール部」に相当し、引用発明１の「サスペンション回路基板」は、本願発明にいう「ヘッドスライダが実装されるヘッド部から、外部接続基板が接合されるテール部に延びるサスペンション用基板」といえる。
　引用発明１の「第一絶縁層」、「金属支持基板」、「配線層」、「外部回路基板」、「フライングリード部」及び「金属支持基板開口部」は、それぞれ本願発明の「絶縁層」、「金属支持層」、「配線層」、「外部接続基板」、「接続端子」及び「金属開口部」に相当し、引用発明１の「金属支持基板開口部」を画定する端縁のうち「フライングリード部」の長手方向に直交する一対の端縁は、本願発明の「接続端子の長手方向に直交する一対の金属開口端縁」に相当する。
　したがって、本願発明と引用発明１の一致点・相違点は、次のとおりである。
 ［一致点］ 
「ヘッドスライダが実装されるヘッド部から、外部接続基板が接合されるテール部に延びるサスペンション用基板において、
　絶縁層と、
　前記絶縁層の一方の面に設けられた金属支持層と、
　前記絶縁層の他方の面に設けられた配線層であって、複数の配線と、前記配線の各々に接続され、前記外部接続基板の外部端子に接合可能な接続端子と、を有する前記配線層と、を備え、
　前記金属支持層は、前記テール部に設けられ、前記接続端子を露出させる金属開口部と、前記金属開口部を画定し、前記接続端子の長手方向に直交する一対の金属開口端縁と、を有する、
　サスペンション用基板。」である点。
 ［相違点］ 
　本願発明では、「金属開口端縁の各々の両端部には、凹部が設けられている」のに対し、引用発明１では、そのような凹部は設けられていない点。
３．判断 
　上記引用例１の段落２及び段落５の記載（上記１．（１）（ア）及び（イ））によれば、引用発明１は、サスペンション用基板のテール部に設けられた金属支持層の開口部に露出したフライングリードを外部接続基板の接続端子に超音波接合する際、「フライングリード部では、導体層の両面が露出していることから」、「物理的強度が弱く、導体層に応力が集中して断線が起こりやすい」ことに鑑みて、「導体層の断線を防止できるサスペンション回路基板を提供すること」をその課題としている。
　一方、上記引用例２の段落３及び段落５０の記載（上記１．（２）（ア）及び（ウ））によれば、引用発明２は、磁気ディスクの所望のトラックに磁気ヘッドを位置決めするための板状の支持体である補強板とフレキシブル配線回路基板とからなるハードディスク用フレキシブル回路基板において、「補強板付きフレキシブル配線回路基板を繰り返し屈曲させると、フレキシブル配線回路基板の端縁と補強板の端縁との交点を起点としてフレキシブル配線回路基板に引き裂きが発生する場合がある」ことに鑑みて、補強板３の端縁に円弧状部分３１を設けるとともに、「補強板３の端縁に集中する応力を緩和するために」、補強板３の端縁の端部３２を湾曲した形状（例：補強板３の端縁の中央に凹部を設けた形状）としたものである。
　そうすると、金属支持層の開口部に露出したフライングリードを超音波接合する際の導体層にかかる応力の緩和を課題とする引用発明１と、補強板付きフレキシブル配線回路基板を繰り返し屈曲する際の補強板３の端縁に集中する応力を緩和することを課題とする引用発明２とは、解決しようとする課題が異なり、また、その作用及び機能も異なるから、引用発明１に引用発明２を適用する動機づけがあるとはいえない。
　また、仮に、引用発明１に引用発明２を適用することができたとしても、引用発明１の金属開口端縁が、湾曲した形状又はその中央に凹部を設けた形状になるだけであって、相違点に係る本願発明の構成に至るとはいえない。
　そして、本願発明は、上記相違点に係る構成を有することで、金属開口部２１の両側部をフライングリード３３の長手方向に拡大させることができ、超音波接合する際、とりわけ両外側のフライングリードにかかる応力を低減してフライングリードの断線を防止することができるという効果を奏するものである。
　したがって、本願発明は、当業者が引用発明１及び２に基いて容易に発明をすることができたとはいえない。
　本願の請求項２−６に係る発明は、請求項１をさらに限定したものであるので、本願発明と同様に、当業者が引用発明１及び２に基づいて容易に発明をすることができたとはいえない。
第５．むすび
　以上のとおり、本願の請求項１−６に係る発明は、いずれも、当業者が引用発明１及び２に基づいて容易に発明をすることができたものではないから、原査定の理由によっては、本願を拒絶することはできない。
　また、他に本願を拒絶すべき理由を発見しない。
　よって、結論のとおり審決する。